(57)【要約】      （修正有）【課題】光ディスクが回転したままディスクトレイが筐体外に搬出することによる部品の破損や怪我の恐れがない、低振動・低騒音の光ディスク装置を簡易な構造によって提供する。【解決手段】ディスクトレイ方式の光ディスク装置１００において、筐体１６内側に取り付けられた制動部材６はディスクトレイ７がディスク記録再生位置とディスク脱着位置以外の所定の位置にあるときにおいて光ディスクと摺接し、ディスクトレイ７がディスク記録再生位置にあるときにディスクトレイ７に当接するように配置される。【選択図】図１
2011165250.tif 000002
【特許請求の範囲】
【請求項１】
トップカバーとボトムカバーによって形成された筐体と、この筐体の内壁面に固定された制動部材と、光ディスクを装着して回転駆動させるスピンドルモータと、光ディスクの記録面の情報を再生・記録するためのピックアップと、前記スピンドルモータと前記ピックアップを搭載したディスクトレイとを備え、
このディスクトレイが前記筐体内部のディスク記録・再生位置と前記筐体外部のディスク脱着位置との間を摺動する光ディスク装置において、
前記制動部材は前記ディスクトレイが前記ディスク記録再生位置と前記ディスク脱着位置以外の所定の位置にあるときにおいて光ディスクと摺接し、前記ディスクトレイが前記ディスク記録再生位置にあるときは前記ディスクトレイの一部に当接するように配置されたことを特徴とする光ディスク装置。
【請求項２】
請求項１記載の光ディスク装置において、
前記制動部材は前記ディスクトレイの一部に設けられた突出片に当接することを特徴とする光ディスク装置。
【請求項３】
請求項１記載の光ディスク装置において、
前記ディスクトレイの一部に設けられた突出片に傾斜面を設け、この傾斜面に前記制動部材が当接することを特徴とする光ディスク装置。
【請求項４】
請求項１記載の光ディスク装置において、
前記制動部材が前記光ディスクと摺接するときは、前記制動部材は前記光ディスクのラベル面と接触し、このラベル面に対して垂直方向でかつ前記ラベル面を押圧することを特徴とする光ディスク装置。
【請求項５】
請求項１記載の光ディスク装置において、
前記制動部材が前記ディスクトレイに当接しているときは、前記制動部材は前記ディスクトレイを前記光ディスクの回転軸に平行な方向に押圧するような位置に設置されていることを特徴とする光ディスク装置。
【請求項６】
請求項１記載の光ディスク装置において、
前記制動部材が前記ディスクトレイに当接しているときは、前記制動部材が前記ディスクトレイを前記光ディスクのラベル面に対して平行な方向に押圧するような位置に前記制動部材が設置されていることを特徴とする光ディスク装置。
【請求項７】
請求項１記載の光ディスク装置において、
前記制動部材が前記ディスクトレイに当接しているときは、前記制動部材は前記ディスクトレイを前記光ディスクの回転軸に平行な方向に押圧し、かつ前記光ディスクのラベル面に対して平行な方向に押圧するような位置に設置されていることを特徴とする光ディスク装置。
【請求項８】
請求項１記載の光ディスク装置において、
前記制動部材が前記ディスクトレイに当接したときは、前記制動部材の当接面となる部分の少なくともその一部がスロープ状となっていることを特徴とする光ディスク装置。
【発明の詳細な説明】
【技術分野】
【０００１】
本発明は、振動低減を図った光ディスク装置に関する。
【背景技術】
【０００２】
ＣＤやＤＶＤ、ＢＤ（Blu-ray Disc）に代表されるような光ディスクは、近年その記録容量がますます増大する傾向にある。ＢＤ片面一層には２５ＧＢ、二層で５０ＧＢのデータを記録することができ、さらに多層化が進められている。
【０００３】
それに伴い、高速にデータの読み出し又は書き込みを実現するため、光ディスクのデータを記録／再生する光ディスク装置のディスク回転速度もいっそう速いものが要求されるようになっている。
【０００４】
高速回転するディスクトレイ方式の光ディスク装置では、光ディスク装置の緊急停止などにより光ディスクの回転が止まり切らない状態（以下、残留回転という）でディスクトレイが筐体外に搬出される場合がある。この場合、回転する光ディスクによって使用者の怪我や光ディスク面への傷つき等を引き起こすことも考えられ、安全上でも問題が発生する可能性がある。また光ディスクの高速回転によってディスクトレイの振動という問題も当然のことながら発生する。
【０００５】
このようにディスクトレイの振動を防止する構造として、例えば特許文献１にはディスクトレイ搬送方向に対して垂直な方向に取り付けられた弾性部材の押圧力でディスクトレイや、ディスクトレイの搬送手段であるラックスライドを押さえつける構造のものがある。この構造によってディスクトレイの振動を抑えることができる。
【０００６】
また特許文献２では、残留回転を制止するために光ディスクの上表面に制動部材を接触させる構造のものが開示されている。
【０００７】
さらに特許文献３では、残留回転を制止するために光ディスクの外周片に制動部材を接触させる構造のものが開示されている。  
【先行技術文献】
【特許文献】
【０００８】
【特許文献１】特開２００８−１１７４３２号公報
【特許文献２】特開平９−２１３０００号公報
【特許文献３】特開平９−２１２９９９号公報
【発明の概要】
【発明が解決しようとする課題】
【０００９】
上述した光ディスク装置では、光ディスク回転速度の高速化に伴う機構振動の増大が高密度な光ディスク記録面への記録／再生性能に悪影響を及ぼし、振動音を増大させる問題がある。
【００１０】
特に、光ディスクの駆動機構や記録再生機構を搭載する部分（以下、ディスクトレイと言う）を光ディスク装置の収容部から出し入れ自在としたディスクトレイ方式の光ディスク装置においては、ディスクトレイ搬送機構の滑らかな摺動のために隣接部品と隙間を持つ構造となっている。
【００１１】
そのために、ディスクトレイの振動を他の部品に伝えて逃がすための振動伝達経路が十分に確保されず振動が増大したり、その振動によって隣接部品同士が衝突してビビリ音が発生したりする。ディスクトレイの振動が増大することによるビビリ音が発生すると、騒音の増加や使用時の不快感を引き起こす。
【００１２】
つまり、ディスクトレイ方式特有の問題として、ディスクの回転にともなうディスクトレイ自体の振動によって発生する振動がある。ディスクトレイ自体が振動すると光ピックアップを搭載したアクチュエータ自体も振動してしまい、光ディスク装置としての性能に大きな影響を与えしまう。また、増大したディスクトレイの振動によって隣接部品同士が衝突してビビリ音が発生する。そのため、一般的にはディスクトレイの振動をトップケース等に伝えて振動を緩和させるという防振対策が考えられる。しかしながらディスクトレイを滑らかに摺動させるために摺動用レールの部品間に隙間を設けているため、振動伝達経路を十分に確保するのは難しい（なお、もう一つの方式であるスロット方式はディスクトレイがないのでこのような問題はない）。
【００１３】
また、ディスクトレイ方式の光ディスク装置では、光ディスク装置の緊急停止などにより光ディスクの回転が止まり切っていない状態で筐体外に搬出される可能性がある。これによって怪我や部品の破損等が引き起こされる可能性があり、非常に危険である。
【００１４】
前述したディスクトレイの振動問題に対して特許文献１はドロワー（ディスクトレイ）を押圧バネで押圧する構造となっているが、光ディスクの残留回転を防止することについては配慮されていない。また特許文献２及び特許文献３は前述した光ディスクの残留回転防止については開示されているがディスクトレイの振動防止については配慮されていない。
【００１５】
本発明の目的は、光ディスクの残留回転による怪我や光ディスク面の傷付き等を防止するだけではなく、ディスクトレイの振動を抑えた光ディスク装置を提供することにある。
【課題を解決するための手段】
【００１６】
上記目的は、トップカバーとボトムカバーによって形成された筐体と、この筐体の内壁面に固定された制動部材と、光ディスクを装着して回転駆動させるスピンドルモータと、光ディスクの記録面の情報を再生・記録するためのピックアップと、前記スピンドルモータと前記ピックアップを搭載したディスクトレイとを備え、このディスクトレイが前記筐体内部のディスク記録・再生位置と前記筐体外部のディスク脱着位置との間を摺動する光ディスク装置において、前記制動部材は前記ディスクトレイが前記ディスク記録再生位置と前記ディスク脱着位置以外の所定の位置にあるときにおいて光ディスクと摺接し、前記ディスクトレイが前記ディスク記録再生位置にあるときは前記ディスクトレイの一部に当接するように配置されたことにより達成される。
【００１７】
また上記目的は、前記制動部材は前記ディスクトレイの一部に設けられた突出片に当接することにより達成される。
【００１８】
また上記目的は、前記ディスクトレイの一部に設けられた突出片に傾斜面を設け、この傾斜面に前記制動部材が当接することにより達成される。
【００１９】
前記制動部材が前記光ディスクと摺接するときは、前記制動部材は前記光ディスクのラベル面と接触し、このラベル面に対して垂直方向でかつ前記ラベル面を押圧することにより達成される。
【００２０】
また上記目的は、前記制動部材が前記ディスクトレイに当接しているときは、前記制動部材は前記ディスクトレイを前記光ディスクの回転軸に平行な方向に押圧するような位置に設置されていることにより達成される。
【００２１】
また上記目的は、前記制動部材が前記ディスクトレイに当接しているときは、前記制動部材が前記ディスクトレイを前記光ディスクのラベル面に対して平行な方向に押圧するような位置に前記制動部材が設置されていることにより達成される。
【００２２】
また上記目的は、前記制動部材が前記ディスクトレイに当接しているときは、前記制動部材は前記ディスクトレイを前記光ディスクの回転軸に平行な方向に押圧し、かつ前記光ディスクのラベル面に対して平行な方向に押圧するような位置に設置されていることにより達成される。
【００２３】
また上記目的は、前記制動部材が前記ディスクトレイに当接したときは、前記制動部材の当接面となる部分の少なくともその一部がスロープ状となっていることにより達成される。
【発明の効果】
【００２４】
本発明によれば、光ディスクの残留回転による怪我や光ディスク面への傷付き等を防止をするだけではなく、ディスクトレイの振動を抑えた光ディスク装置を提供できる。
【図面の簡単な説明】
【００２５】
【図１】一般的な光ディスク装置の構成を示す分解斜視図である。
【図２】一般的な光ディスク装置の部品配置を示した模式図である。
【図３】本発明の一実施例を備えた光ディスク装置の模式図である。
【図４】本発明の一実施例を備えた光ディスク装置の模式図である。
【図５】本発明の他の一実施例を備えた光ディスク装置の模式図である。
【発明を実施するための形態】
【００２６】
ところで、ロックが解除されてディスクトレイが外部に搬出される際には、スピンドルモータの回転を止める制御が行われ光ディスクの回転が停止されるようになっている。しかしながら上述したように電源供給停止などの異常終了が起こったときにディスクトレイを排出（引き出される）された場合、光ディスクの回転停止の制御が行われず、慣性によって光ディスクが回転したまま筐体外部に搬出されてしまう場合がある。
【００２７】
その場合、高速に回転する光ディスクで使用者が指を怪我したり光ディスクに傷を付けたりする可能性がある。
【００２８】
そこで本発明の発明者らは特許文献２、３に記載された光ディスクの回転を強制的に止めるパッド（以下、制動部材という）でディスクトレイの振動緩和にも兼用させることを種々検討した結果、以下のような実施例を得た。
【００２９】
以下、本発明の一実施例を図にしたがって説明する。
【００３０】
本発明の一実施例を説明するにあたり、一般的な光ディスク装置の構成を図１、図２を用いて説明する。
【００３１】
図１は一般的な光ディスク装置の分解斜視図である。図２は一般的な光ディスク装置の部品配置を示す模式図であり、図２（ａ）はディスクトレイが筐体外に搬出される途中における光ディスク装置の上面図、図２（ｂ）はディスクトレイ７が筐体内に搬入された位置にある光ディスク装置の上面図である。
【００３２】
なお、ディスクトレイ７が筐体１６の内部から外部へ搬出される方向をｘ軸正方向、光ディスク２００面に対して垂直にボトムケース１４からトップカバー１５に向かう方向をｚ軸正方向として座標を定義する。
【００３３】
図１において、光ディスク装置１００は薄板金属板をプレス成形したボトムカバー１４とトップカバー１５とが組み合わせられることによって筐体１６が形成されている。ディスクトレイ７はボトムカバー１４の内側に取り付けられているガイドレール３ａ，３ｂにラックスライド１ａ、１ｂを介して支持されており、ラックスライド１ａ、１ｂ及びディスクトレイ７はガイドレール３ａ，３ｂのレール方向に摺動自在となっている。上記トップカバー１５の内壁面には制動部材６が貼り付けられている。この制動部材６はゴムやスポンジ等の弾性部材で形成されており、本図では光ディスク２００のラベル面と対向する位置となっている。光ディスク２００の記録・再生が終了しディスクトレイ７が排出されたときに制動部材６が光ディスク２００の面に接触して回転が強制的に停止されるようになっている。
【００３４】
ディスクトレイ７には光ディスクを装着して回転駆動するスピンドルモータ１０と、光ディスク記録面の情報を再生または記録面へ情報を記録するピックアップ９を搭載したユニットメカ８が３個のインシュレータ（図示せず）を介して取り付けられている。ディスクトレイ７の前方にはディスクトレイ７が筐体１６内部に収納されているときに筐体１６前方の蓋となるベゼル１２が取り付けられている。このベゼル１２の前面にはディスクトレイ７を開閉させるためのスイッチ１１が取り付けられている。
【００３５】
ディスクトレイ７にはディスクトレイ押出機構１３が取り付けられている。このディスクトレイ押出機構１３は前方に押し込むことが可能で、押し込まれた際はディスクトレイ押出機構１３内部の図示しない弾性体が自然長より収縮する構造になっている。
【００３６】
光ディスクに記録された情報の再生および情報の記録はディスクトレイ７が筐体１６内部の所定の搬入位置に収納されているときに行われる。記録再生している間は図示しないロック機構によってディスクトレイ７が筐体１６外部に搬出されないようになっている。その際、ディスクトレイ押出機構１３はボトムカバー１４によって押し込まれ、ディスクトレイ押出機構１３内部の弾性体が収縮した状態のまま固定されている。
【００３７】
図２（ａ）において、光ディスク２００をスピンドルモータ１０から脱着するためにはディスクトレイ７を筐体１６の外部に搬出することになる。その際にはベセル１２に取り付けられたスイッチ１１が押されるか、もしくは図示しない外部接続機器からイジェクト命令が出された際の信号を図示しないＣＰＵ（Ｃｅｎｔｒａｌ  Ｐｒｏｃｅｓｓｉｎｇ  Ｕｎｉｔ）が検知し、ロック機構にロック解除の命令を行うことによってロックが解除される。
【００３８】
なお、図１では特許文献２のように制動部材６が光ディスクのラベル面に接触して制動する構造を示したが、図２（ａ）（ｂ）は特許文献３のように制動部材６が光ディスク２００の外周エッジ部分に接触して停止させる構造を示している。
【００３９】
上述したロック機構のロックが解除されると図２（ａ）のように、ディスクトレイ押出機構１３内部の弾性体が収縮した状態から自然長に戻る力でディスクトレイ７が筐体１６の外部まで矢印方向に押し出される。この時、制動部材６に光ディスク２００の外周エッジが接触するので光ディスクの回転が停止する。これは制動部材６が光ディスク２００のエッジ側から矢印Ｆａ方向に押圧することになるからである。
【００４０】
図２（ｂ）において、ディスクトレイ７を筐体１６の外部から筐体１６の内部に搬入する際は、ディスクトレイ７を筐体１６内部の光ディスク記録再生位置まで手動で搬入するとラッチ機構（図示せず）によりロック機構が作動してディスクトレイ７の移動がロックされる。この時、制動部材６に光ディスク２００の外周エッジ部分が接触しながら押し込まれるものの、光ディスク２００は制動部材６を通過し回転には全く支障がない位置でロックされる。光ディスク２００の記録再生を行う際はスピンドルモータ１０の駆動により光ディスク２００を高速で回転させる。
【００４１】
このとき、光ディスク２００が高速で回転すると、光ディスク２００の寸法誤差による偏重心や、光ディスクをスピンドルモータ１０に固定する際の光ディスクとスピンドルモータ１０の回転軸ずれによる偏重心によってディスク回転一次の振れ回り振動が発生する。
【００４２】
また、上述したように記録再生時に高速回転していた光ディスクが記録再生終了後も回転が残留したままディスクトレイ７が筐体１６の外部に搬出されると、回転する光ディスクに人の指が触れて怪我したり、指が筐体１６等の隣接部品に触れて光ディスクや装置の部品が破損する恐れがあり好ましくない。
【００４３】
以上のごとく、一般的な光ディスク装置に取り付けられた制動部材６は図２（a）に示すように、制動部材６はディスクトレイ７搬送中においてのみ有効である。しかし図２（ｂ）に示すように光ディスク駆動中においては、制動部材６は光ディスクやその他の部品とは接触しない位置に配置されていたためディスクトレイの振動防止には全く寄与するものではなかった。
【００４４】
そこで、本発明の発明者らは制動部材をディスクトレイの回転止めとしての機能だけではなく、ディスクトレイの振動防止としての機能を付加することを考えたものである。
【実施例１】
【００４５】
図３は本発明の一実施例を備えた光ディスク装置の模式図であり、図３（ａ）は本実施例を備えた光ディスクを上面図である。図３（ｂ）はその光ディスク装置を断面した図である。
【００４６】
図３において、ディスクトレイ７は薄板金属板をプレス成形したボトムカバー１４とトップカバー１５によって覆われている。このディスクトレイ７は図１に示したガイドレール３ａ，３ｂのレール方向に摺動自在となっている。
【００４７】
ディスクトレイ７には光ディスクを装着して回転駆動するスピンドルモータ１０が取り付けられている。ディスクトレイ７の前方にはディスクトレイ７が筐体１６内部に収納されているときに筐体１６前方の蓋となるベゼル１２が取り付けられている。光ディスク２００に記録された情報の再生および情報の記録はディスクトレイ７が筐体１６内部の所定の搬入位置に収納されているときに行われる。
【００４８】
制動部材６は図１で説明したようにトップカバー１５の内壁面に接着されている。しかしながら図１と異なるのはディスクトレイ７が筐体１６内に収納されたときの制動部材６の位置はディスクトレイ７の一部を押圧する位置であり、ディスクトレイ７が排出されるときは図３（ｂ）のように光ディスク２００の面をＦｂ方向に押圧する方向に接触する位置となっている。ディスクトレイ７の一部には制動部材６が当接する突出片７ａが設けられている。この突出片７ａには傾斜面部７ｂを有している。
【００４９】
図４は本実施例を備えた光ディスク装置であり、図４（ａ）はディスクトレイが収納された状態を示す上面図である。図４（ｂ）は図４（ａ）の断面図である。図４（ｃ）はディスクトレイが引き出される状態を示す断面図である。
【００５０】
図４（ａ）において、制動部材６は光ディスク２００の上面（シール面）を接触しながら通過し、完全に閉じられた状態では青銅部材６はディスクトレイ７の突出片７ａに当接している。ディスクトレイ７が完全に収納された状態では制動部材６は図４（ｂ）のようにトップカバー１５とディスクトレイ７の突出片７ａとの間に挟まれて圧縮状態となっている。
【００５１】
本実施例ではディスクトレイ７の突出片７ａに傾斜面部７ｂを設けた。この傾斜面部７ｂは制動部材６と突出片７ａとが当接したとき制動部材７ａは面に当接するので制動部材７ａのめくれが防止できる。つまり傾斜面部７ｂがないと突出片７は制動部材６の接着面に対して同じ方向に圧力を加えてしまうためトップカバー１５との接着が剥がれてしまう可能性があるからである。
【００５２】
図４（ｃ）はロックが解除されたディスクトレイ７が引き出された状態である。この状態では制動部材６は突出片６ａから離れ、次に光ディスク２００の表面（ラベル面）に接触するので光ディスク２００の回転を止めることができる。
【００５３】
以上のごとく、本実施例によれば光ディスク駆動中も光ディスクの回転一次の振れ回り振動によるディスクトレイ７の振動を制動部材６を介して筐体１６に逃がす振動伝達経路を形成することができるのでディスクトレイ７の振動を低減できる。
【００５４】
つまり、ディスクトレイ７搬送中の光ディスクの回転止めの機能を備えつつ、光ディスク駆動時のディスクトレイ７の振動低減の機能の２つを１つの簡易な構造によって実現できる。従って、構造の簡易化によるコスト低減や小型化・軽量化が可能となる。
【００５５】
以上のごとく本実施例によれば、制動部材６が光ディスクに摺接した際にディスク面内方向の力が発生することはなく、この制動部材６を用いることによりスピンドルモータ１０中心軸に対する光ディスクの重心ずれが増加することはない。
【００５６】
尚、制動部材６は複数個設置してもよい。
【実施例２】
【００５７】
図５は他の実施例を備えた光ディスク装置であり、図５（ａ）はディスクトレイが筐体から搬出される途中の上面図である。図５（ｂ）はディスクトレイと制動部材の拡大斜視図である。図５（ｃ）はディスクトレイと制動部材が接触した状態を示す斜視図である。
【００５８】
なお、ディスクトレイ７が筐体１６の内部から外部へ搬出される方向をｘ軸正方向、光ディスク面に対して垂直にボトムケース１４からトップカバー１５に向かう方向をｚ軸正方向として、座標を定義する。
【００５９】
図５において、本実施例における制動部材６はディスクトレイ７が筐体１６内部から外部へ搬出されるときに最初に光ディスクが摺接する部分である制動部材後端部Ａ、及びディスクトレイ７が筐体１６外部から内部へ搬入されるときに最初に光ディスクが摺接する部分である制動部材前端部Ｂがスロープ状となっている。これにより、制動部材６が光ディスクの側面と引っ掛かりを生じることなく、ラベル面とスムーズに摺接を開始することができる。
【００６０】
また、ディスクトレイ７が筐体１６の内部に搬入されたときに制動部材６が当接する部分であるディスクトレイ面Ｃは、図４に示すように制動部材６のスロープ形状にかみ合うようなスロープ形状としている。この構造を持つ場合、光ディスク駆動中に制動部材６がトレイを押圧する力をｘ、ｙ、ｚ軸各方向に分解すると図５（ｃ）に示すＦｘ、Ｆｙ、Ｆｚのようになる。つまり、ｘ、ｙ、ｚ軸全ての方向に対して押圧力が働くこれにより、光ディスク駆動中のディスクトレイ７の振動の各軸成分全てに対して振動低減の効果を得ることができる。
【００６１】
ディスクトレイ７は滑らかな摺動のために図１に示したラックスライド１ａ、１ｂやガイドレール３ａ，３ｂなどの周辺部品に対してある程度の隙間が設けられている。しかし、光ディスク記録再生時には実施例１で述べた光ディスク回転一次の振れ回り振動が発生する。そのため、ディスクトレイ７と周辺部品との隙間が原因で接触振動、いわゆるガタ振動やそれによるビビリ音が発生し、騒音性能が著しく劣化してしまう。
【００６２】
しかしながら、本実施例の構造を取ることによってディスク駆動時には制動部材６の押圧力の方向にラックスライド１と周辺部品との隙間を詰める（ガタ寄せする）ことができる。これにより、部品間の隙間の存在が原因となるガタ振動やビビリ音のない光ディスク装置が提供できる。
【００６３】
尚、制動部材６とディスクトレイ７の接触部全てがスロープ状となっていなくてもよく、一部分だけをスロープ状としてもよい。また、本実施例に示す構造を複数設置してもよい。
【００６４】
以上のごとく本発明によれば、光ディスクの内部に設置された制動部材が、ディスクトレイが筐体内部から外部へ搬送される途中において光ディスクと摺接し、ディスクトレイがディスク記録再生位置にあるときにおいてディスクトレイと当接する構造とした。これにより、光ディスクが回転したままディスクトレイが筐体外に搬出することによる部品の破損や怪我の恐れがない、低振動・低騒音の光ディスク装置を簡易な構造で提供することができる。
【符号の説明】
【００６５】
１・・・ラックスライド、３・・・ガイドレール、６・・・制動部材、７・・・ディスクトレイ、８・・・ユニットメカ、９・・・ピックアップ、１０・・・スピンドルモータ、１１・・・スイッチ、１２・・・ベゼル、１３・・・押出機構、１４・・・ボトムカバー、１５・・・トップカバー、１６・・・筐体、１００・・・光ディスク装置、２００・・・光ディスク。
【図１】
2011165250.tif 000003
【図２】
2011165250.tif 000004
【図３】
2011165250.tif 000005
【図４】
2011165250.tif 000006
【図５】
2011165250.tif 000007